(57)【要約】  【課題】  設置面が平らでない場合に設置する場合に、弾性力の小さな材質で形成しても、設置面とインシュレーターおよび音響機器とインシュレーターとの隙間をなくし、さらに、水平方向の振動も制御できるインシュレーターを提供する。  【解決手段】    インシュレーターを支持対象面に接して対象物を支持する対象面支持体と、設置面に接した状態で置かれる脚体とにより構成し、前記脚体の設置面に接する部分の裏側に、先端により対象を支持する可動部支持部を３つ設け、前記対象面支持体の支持対象面に接する部分の裏側、前記３つの可動部支持部の先端のぞれぞれに接触しつつ前記対象面支持体の前記脚体に対する傾きが変化するように運動することが可能な可動部を設ける。【選択図】  図５
2005024067.tif 000002
【特許請求の範囲】
【請求項１】
支持対象面に接して支持する対象面支持体と、
設置面に接した状態で置かれる脚体と、
前記脚体の設置面に接する部分の裏側に３つ設けられる、先端により対象を支持する可動部支持部と、
前記対象面支持体の支持対象面に接する部分の裏側に設けられる、前記３つの可動部支持部の先端のぞれぞれに接触しつつ前記対象面支持体の前記脚体に対する傾きが変化するように運動することが可能な可動部と
を有するインシュレーター。
【請求項２】
前記可動部支持部が前記脚体の設置面に接する部分の裏側に設けられることに代えて、前記対象面支持体の支持対象面に接する部分の裏側に設けられ、
前記可動部が前記対象面支持体の支持対象面に接する部分の裏側に設けられることに代えて、前記脚体の設置面に接する部分の裏側に設けられる
請求項１に記載のインシュレーター。
【請求項３】
前記可動部は球面の一部により構成される請求項１又は２に記載のインシュレーター。
【請求項４】
前記可動部は円錐の側面の一部により構成される請求項１又は２に記載のインシュレーター。
【請求項５】
前記支持部は、球体により構成される請求項１から４のいずれか１項に記載のインシュレーター。
【発明の詳細な説明】
【技術分野】
【０００１】
本発明は、スピーカーなどの機器から発生する振動を制御するために機器等と設置面との間に設けられるインシュレーターに関する。
【背景技術】
【０００２】
スピーカーシステムやオーディオ装置等の音響機器は自ら振動を発生するが、この振動を抑えることで音質を向上させることができる。このために、音響機器と設置面との間にインシュレーターを配置することが一般的に行われている。インシュレーターはゴム、木、金属、ガラス、合成樹脂などで作られた直方体や円柱等の形状をしている。音響機器を設置する場所は、荷重に従って歪みが生じるため理想的な水平面を維持することは難しいため、インシュレーターは機器の底面に３カ所配置する３点支持で設置をすることが一般的である。
また、インシュレーターには三角錐を利用して一点で支持するものもある（例えば、特許文献１参照）。
【特許文献１】特開平１０−３０４４８４号公報（図１）
【発明の開示】
【発明が解決しようとする課題】
【０００３】
ところで、音響機器を設置する設置面が完全に平らでない場合は問題が生じる。図１２にこのことを模式的に表す図を示す。図１２はへこんだ設置面９に音響機器８をインシュレーター７を介して設置した状態を表している。図１２に示すように、ガラスや金属等の弾性の小さな材質でできたインシュレーター７を使用するとインシュレーターと設置面９もしくは、インシュレーター７と音響機器８との間に隙間が発生し、振動によってがたつきが生じてしまう。ゴムなどの弾性変形の大きな材質でてきたインシュレーターを使用すればこのような問題は発生しないが、弾性変形の大きなインシュレーターでは、振動の一部が二次反射、三次反射をしスピーカーシステムやオーディオ装置などに戻ってしまうため音質が劣化してしまうという問題がある。
また、特開平10-304484号公報に示されるような円錐を利用したインシュレーターでは、一点での支持となるため重量物への対応は難しく、支持点が一点であるため水平方向の力を支持することが困難であり、水平方向の振動を制御できない。
そこで、本発明はこのような問題に鑑みて、設置面が平らでない場合に設置する場合に、弾性力の小さな材質で形成しても、設置面とインシュレーターおよび音響機器とインシュレーターとの隙間をなくし、さらに、水平方向の振動も制御できるインシュレーターを提供することを課題とする。
【課題を解決するための手段】
【０００４】
上記課題を解決するために本発明は次のような構成を有する。
請求項１に記載の発明は、支持対象面に接して支持する対象面支持体と、設置面に接した状態で置かれる脚体とにより構成され、前記脚体の設置面に接する部分の裏側に３つ設けられる、先端により対象を支持する可動部支持部と、前記対象面支持体の支持対象面に接する部分の裏側に設けられる、前記３つの可動部支持部の先端のぞれぞれに接触しつつ前記対象面支持体の前記脚体に対する傾きが変化するように運動することが可能な可動部とを有するインシュレーターである。なお、可動部支持部の先端は点状の場合のみならず、線状、面状の場合も含まれる。
このような構成により、平でない設置面に脚体を設置して脚体が傾いたとしても、対象物支持体は支持対象面に平行な面を支持できるように脚体に対して傾けることができる。また、可動部支持部の３つの先端で対象面支持体の傾きが変化するように支持するために、可動部支持部は可動部の水平方向成分を支持することになる。
【０００５】
請求項２に記載の発明は、前記インシュレーターにおいて、前記可動部支持部が前記脚体の設置面に接する部分の裏側に設けられることに代えて、前記対象面支持体の支持対象面に接する部分の裏側に設けられ、前記可動部が前記対象面支持体の支持対象面に接する部分の裏側に設けられることに代えて、前記脚体の設置面に接する部分の裏側に設けられるものである。
これは請求項１に記載のインシュレーターと配置が逆になっているだけであるので、同じ作用をもたらす。
【０００６】
請求項３に記載の発明は、前記インシュレーターにおいて前記可動部は球面の一部により構成されるものである。
可動部を球面の一部により構成することで、可動部支持部からの力の方向が対象物支持体の傾きが変わってもほぼ同じにすることができる。
請求項４に記載の発明は、前記インシュレーターにおいて前記可動部は円錐の側面の一部により構成されるものである。
このように可動部の形状を円錐の側面の一部により構成することで球面の一部を用いるよりも加工が容易になる。
請求項５に記載の発明は、前記インシュレーターにおいて前記可動部支持部は球体により構成されるものある。
このように可動部支持部を球体にすることで、可動部支持部の先端を尖らせる場合に比較して可動部への応力が極端に一点に集中することを防ぐことができる。
【発明の効果】
【０００７】
以上の説明から本発明は次のような効果を奏する。
請求項１および請求項２に記載のインシュレーターは、平でない設置面に脚体を設置して脚体が傾いたとしても、対象物支持体は支持対象面に平行な面を支持できるように脚体に対して傾けることができるので、インシュレーターを弾性変形の小さな材質で構成してもインシュレーターと設置面およびインシュレーターと支持体正面との隙間をほぼなくすことができ、隙間により振動を抑えることができる。また、可動部支持部の３つの先端で対象面支持体の傾きが変化するように支持するために、可動部支持部は可動部の水平方向成分を支持することになり、横方向の振動を抑えることが可能となる。
【０００８】
請求項３に記載のインシュレーターは、可動部を球面の一部により構成することで、可動部支持部からの力の方向が対象物支持体の傾きが変わってもほぼ同じにすることができるので、対象物支持体を傾ける際の運動を滑らかにすることが可能である。
請求項４に記載のインシュレーターは可動部の形状を円錐の側面の一部により構成することで球面の一部を用いるよりも加工が容易になり、製造コストを削減することができる。
請求項５に記載のインシュレーターは、可動部支持部を球体にすることで、可動部支持部の先端を尖らせる場合に比較して可動部への応力が極端に一点に集中することを防ぐことができ、可動部に傷などが発生することを抑えることが可能になる。
【発明を実施するための最良の形態】
【０００９】
以下、本発明の実施の形態について図面を参照しながら説明する。
本実施の形態に係るインシュレーターは、対象面支持体と脚体との２つの部品から構成される。図１に対象面支持体の斜視図を示し、図２に対象面支持体の平面図を示す。対象面支持体は可動部１ａと上部ボディー３ａとにより構成される。可動部１ａはベアリング鋼により形成される球体である。可動部１ａは変形の少ない材質を用いることが望ましく、他の金属、セラミック等の種々の素材を用いることができる。上部ボディー３ａはアルミニウム合金で形成された円筒体であり、一方の底面の中心に球状の可動部１ａをほぼ半分嵌め入れることができる穴が形成されている。可動部１ａはこの穴に嵌め入れられ固定される。上部ボディーの他方の底面は音響機器等に接触して支持する面となる。上部ボディー３ａは成型可能な材質であれば足り、合金、鋳鉄、合成樹脂などを用いることができる。
【００１０】
図３に脚体の斜視図を示し、図４に脚体の平面図を示す。脚体は可動部支持部２ａと下部ボディー４ａとから構成される。可動部支持部２ａは３つ設けられ、それぞれがベアリング鋼で形成された球体である。下部ボディー４ａはアルミニウム合金で形成された円筒体であり、一方の底面にすり鉢上の穴が形成されている。そして、このすり鉢上の穴の内側面に対称に可動部支持部２ａがほぼ半分嵌め入れられる穴が形成されている。この穴に可動部支持部２ａが嵌め入れられ固定される。下部ボディー４ａの他方の底面は設置面に接して支持される面となる。
【００１１】
本実施の形態に係るインシュレーターは、可動部１ａと可動部支持体２ａとが接触するように対象物支持体を脚体にように重ねて使用する。図５に重ねた状態を示す縦断面図を示す。なお、ここでは便宜上、対象物支持体は図２におけるＡ−Ａ断面を示しているが、脚体は図４におけるＢ−Ｂ断面を示している。従って、対象物支持体の球体の可動部１ａは実際には、脚体の３つの可動部支持体２ａのそれぞれの先端に接触している。この状態において、可動部１ａは３つの可動部支持体２ａに接触しながら対象物支持体の脚体に対する傾きを変化させることができる。従って、設置面が平でない場合に脚体が傾いても対象物支持体の支持面は支持対象物の底面に対して平行を保った状態を維持することができる。このことを、図６に示す。図６は音響機器８を本実施の形態に係るインシュレーターにより設置面９に設置した状態を示す模式図である。便宜上、インシュレーターは断面であらわしている。図に示すように、へこんだ設置面９に本実施の形態に係るインシュレーターを使用すると脚体はそれぞれ内側に傾くが、対象物支持体は音響機器の底面に対して平行に保たれる。従って、設置面は水平でなくても設置面とインシュレーターおよび音響機器とインシュレーターとの間の隙間をなくすことができ、音質の向上を図ることができる。また、この状態で可動部支持体２ａは可動部１ａを垂直方向だけでなく水平方向にも支えているので、横方向の振動も受けることが可能であり、音響機器８の横方向の振動をも制御することができる。さらに、加重を１点でなく３点で支えるために大きな加重にも対応することができる。
実際に、本実施の形態にかかるインシュレーターをスピーカーシステムに使用したところ、中高音域の音は輪郭が滑らかで聴きやすくなり、繊細さが増し臨場感を増し、低音域は一音一音がはっきりとして聞き取りやすくなった。また、音質向上によって騒がしさが無くなり充分な音量を出して聴くことができるようになった。
【００１２】
（変形例）
以下、本実施の形態についての変形例を例示する。
まず、本実施の形態では可動部支持部２ａは球体を用いたが、図７に縦断面図に示す可動部支持部２ｂのように、円錐の先端で可動部１ａを支持するような形状にすることもでき、また、図８の脚体の平面図に示す可動部支持部２ｃのように円筒の側面で可動部２ｃを支持するような形状にすることもできる。すなわち、先端となる点、線、面で支持するような形状であれば可動部支持部は種々の形状をとることができる。
また、本実施の形態では可動部１ａは球体を用いたが、これは例えば図９の斜視図に示す可動部１ｂのような円筒の先端に円錐台を設けたような形状にしてもよい。この可動部１ｂでは円錐台の側面が可動部支持部に接して支持されることになる。可動部1ａは３つの可動部支持部に接触しながら対象物支持体の傾きが変化できるような面もしくは縁を持つものであれば種々の形状が可能である。例えば、図８に示すように可動部支持部の頂点が線状であれば、可動部は三角錐の側縁で可動部支持部に接触するようにすることも可能である。
さらに、上記の実施の形態では可動部支持部は脚体に設けられたすり鉢状の穴に保持されたが、図１０に示すように平面に可動部支持部２ａを設けることもでき、すり鉢状である必要はない。
【００１３】
それから、上記実施の形態では対象物支持体と脚体とは互いに分離できる構造をしているが、これらを連結して一体にすることも可能である。図１１に一例を表す縦断面図を示す。図に示すインシュレーターは、本実施の形態に係るインシュレーターの対象物支持体及び脚体を重ねた状態における中心軸を貫く貫通孔を、上部ボディー３ｂ、可動部１ｃ、下部ボディー４ｄに設け、この貫通孔に可撓性のワイヤー５を通し、ワイヤーの両端を抜けないように留め具６により固定している。
また、本実施の形態では、可動部や可動部支持部は上部ボディーや下部ボディーに固定されているが、これらは多少の隙間があってもよく、さらには回動自在に保持されるようにしてもよい。
さらに、本発明にかかるインシュレーターは主に音響機器に用いられるが、振動に対して影響がある測定機器や実験器具など、種々の機器等に用いることができる。
【図面の簡単な説明】
【００１４】
【図１】実施の形態に係るインシュレーターの対象物支持体を示す斜視図である。
【図２】実施の形態に係るインシュレーターの対象物支持体を示す平面図である。
【図３】実施の形態に係るインシュレーターの脚体を示す斜視図である。
【図４】実施の形態に係るインシュレーターの脚体を示す平面図である。
【図５】実施の形態に係るインシュレーターの縦断面図である。
【図６】音響機器を本実施の形態に係るインシュレーターにより設置面に設置した状態を示す模式図である。
【００１５】
【図７】可動部支持部の変形例を示す縦断面図である。
【図８】可動部支持部の他の変形例を示す平面図である。
【図９】可動部の変形例を示す斜視図である。
【図１０】下部ボディーの変形例を示す斜視図である。
【図１１】対象物支持体と脚体を一体に連結したインシュレーターを示す縦断面図である。
【図１２】音響機器を従来のインシュレーターにより設置面に設置した状態を示す模式図である。
【符号の説明】
【００１６】
１ａ、１ｂ、１ｃ      可動部
２ａ、２ｂ、２ｃ      可動部支持部
３ａ、３ｂ            上部ホディー
４ａ、４ｂ            下部ホディー
５                    ワイヤー
６                    とめ具
【図１】
2005024067.tif 000003
【図２】
2005024067.tif 000004
【図３】
2005024067.tif 000005
【図４】
2005024067.tif 000006
【図５】
2005024067.tif 000007
【図６】
2005024067.tif 000008
【図７】
2005024067.tif 000009
【図８】
2005024067.tif 000010
【図９】
2005024067.tif 000011
【図１０】
2005024067.tif 000012
【図１１】
2005024067.tif 000013
【図１２】
2005024067.tif 000014